(57)【特許請求の範囲】
【請求項１】
本体の上方に形成される洗浄槽と、前記洗浄槽の側壁部に開口された開口部を覆うように上下方向に回動開閉可能に設けられて、下方へ回動させて前記開口部を閉じた時に前記洗浄槽と共に洗浄室を構成する扉とを備えた食器洗浄機において、
前記扉は、前記開口部を閉じた時に該扉の下端前側角部の内側端縁部から前記洗浄室内の方向へ略水平に延出されて、前記下端前側角部と前記洗浄槽の底面前側角部との間の隙間を被うように突出する略平板状の飛散防止部材を有することを特徴とする食器洗浄機。
【請求項２】
前記飛散防止部材は、一辺が前面側壁の内側端縁部に形成されると共に、他の一辺が側壁の内側端縁部に形成される水平略三角形状であることを特徴とする請求項１に記載の食器洗浄機。
【発明の詳細な説明】
【０００１】
【発明の属する技術分野】
本発明は、洗浄槽を覆うように開閉可能に設けられて、閉じた時に洗浄槽と共に洗浄室を構成する扉を備えた洗浄機に関し、特に、扉の下端前側角部の内側に洗浄室内の方向に延出される略平板状の飛散防止部材を設けることによって、洗浄及びすすぎ時における該扉の下端角部の下面側から扉手前側への水の飛散を簡単な構成で確実に防止することができる食器洗浄機に関するものである。
【０００２】
【従来の技術】
従来より、洗浄機の洗浄室の開口部に設けられて、上下方向に回転操作して開閉する扉からの洗浄及びすすぎ時の水の飛散防止について種々提案されている。
例えば、特開平７−９５９５１号公報に記載された食器洗浄機の扉では、本体の上方に洗浄ノズルを内設したハウジングを設ける一方、このハウジングの前面開口を覆い、開放時に前記ハウジング内に回動収納されて洗浄室を開閉するフード状の扉を備えた食器洗浄機において、前記扉の下端内側に水垂れ防止用の樋を形成すると共に、前記樋の上端から該扉側へ向けて所定の角度で下向きに延出して扉開放に伴う該樋からの水の溢れ出しを防ぐ曲げ部を形成したものである。また、前記樋に連通し、前記扉開放時に水を流し落す側部樋を前記扉の両側部に対向して設けると共に、前記側部樋の出口端を前記側板側より前記洗浄室側の方が長くなるように斜めに切欠いたものである。更に、前記扉の両側板に内側に水平に突出すると共に、前記側部樋の後方に位置し、かつ前記側部樋の底面との間に隙間を存させて設けられた飛散水防止板によって構成されている。
これにより、扉を開けた勢いで樋の中の水が樋先端を越えこぼれ落ちようとしても、樋先端に設けている内側への曲げがそのようなこぼれ方を阻止して、洗浄機の外部への水垂れを生じさせない。また、扉を開け、樋の中の水が扉両側の側部樋へ流れる。ここで、側部樋はその底板が外側より内側（洗浄室側）が長くなるように側部樋の出口端を斜めにカットしていることにより、水をこの出口端のラインに沿って内側、すなわち洗浄室内へと流し落とすことができる。更に、側部樋からの流れ出る水が飛散水防止板の方へ流れようとしても、側部樋と飛散水防止とは隙間を存させて離しており、そのため水の伝わりは起きず、飛散防止板に水が廻り込んで外側へこぼれ落ちるような現象も発生しない。
【０００３】
【発明が解決しようとする課題】
しかしながら、上述した特開平７−９５９５１号公報に記載された食器洗浄機の扉においては、この扉を閉じた場合には、該扉の下端前側角部の内側と食器が収納されるラックの扉側角部との隙間は、該ラックの手前側方向や横側方向の隙間よりも広くなるため、側部樋の底板の左右方向幅寸法が狭い場合には、洗浄及びすすぎ時に側壁に当たった水が跳ねて、樋と側部樋との接合部下面から食器洗浄機の扉の手前側に飛散するという問題がある。
【０００４】
そこで、本発明は、上述した問題点を解決するためになされたものであり、食器洗浄機の開閉扉の下端前側角部の内側に洗浄室内の方向に延出される略平板状の飛散防止部材を設けることによって、洗浄及びすすぎ時における該扉の下端角部の下面側から扉手前側への水の飛散を簡単な構成で確実に防止することができる食器洗浄機を提供することを目的とする。
【０００５】
【課題を解決するための手段】
前記目的を達成するために、請求項１に係る食器洗浄機は、本体の上方に形成される洗浄槽と、前記洗浄槽の側壁部に開口された開口部を覆うように上下方向に回動開閉可能に設けられて、下方へ回動させて前記開口部を閉じた時に前記洗浄槽と共に洗浄室を構成する扉とを備えた食器洗浄機において、前記扉は、前記開口部を閉じた時に該扉の下端前側角部の内側端縁部から前記洗浄室内の方向へ略水平に延出されて、前記下端前側角部と前記洗浄槽の底面前側角部との間の隙間を被うように突出する略平板状の飛散防止部材を有することを特徴とする。
【０００６】
また、請求項２に係る食器洗浄機は、請求項１に記載の食器洗浄機において、前記飛散防止部材は、一辺が前面側壁の内側端縁部に形成されると共に、他の一辺が側壁の内側端縁部に形成される水平略三角形状であることを特徴とする。
【０００７】
【発明の実施の形態】
以下、本発明に係る食器洗浄機について具体化した一実施形態を図面に基づいて詳細に説明する。
先ず、本実施形態に係る食器洗浄機の概略構成について図１に基づいて説明する。図１は本実施形態に係る食器洗浄機の概略構成を示す図で、（Ａ）は左右の開閉扉を閉じた状態の正面図、（Ｂ）は左右の開閉扉を閉じた状態の側面図である。
図１に示すように、食器洗浄機１は、ステンレス製のパネルにて覆われ、内部に図示しないが洗浄タンク及び洗浄ポンプ等を収納した本体２と、この本体２の上方に固設される左右側面を開口した箱状のハウジング３と、このハウジング３の正面を覆う正面カバー部材３Ａと該ハウジング３の背面を覆う背面カバー部材３Ｂと、ハウジング３の左右側面の各開口部に回転自在に取り付けられて回動開閉するフード状の各開閉扉４、５とより構成されている。また、各開閉扉４、５の前面側下方に各ハンドル６、６が取り付けられている。
【０００８】
また、各開閉扉４、５は、ハウジング３と共に洗浄室７（図７参照）を区画形成し、各ハンドル６、６により上方へ回動すると各開閉扉４、５はハウジング３内に収納され、洗浄室７を開放する。また、各開閉扉４、５の下方回動時には、後述のように各開閉扉４、５の下端部が本体２内の上部に形成される洗浄槽の上端部より下方に配置されて、洗浄室７を閉塞する構成となっている（図７参照）。
また、洗浄室７内の上部には、公知の食器洗浄機と同様、上下一対の洗浄水ノズル、すすぎノズルが回転可能に配設されており、また、各洗浄水ノズル、すすぎノズルの間には食器を収納してなる食器ラックが後述のラックレール８及びラック受け台９（図７参照）上に配置されている。更に、洗浄機本体２内の下部には、洗浄ポンプ、洗浄タンク等が配設されている。そして、食器ラック内における食器の洗浄やすすぎ動作を行う場合には、図示しない配管により各洗浄水ノズル、すすぎノズルから洗浄水またはすすぎ湯を食器ラック内の食器に噴射することにより、食器の洗浄、すすぎが行われる。
【０００９】
次に、各開閉扉４、５の構成について図２乃至図６に基づいて説明する。図２は本実施形態に係る食器洗浄機の開閉扉５の概略構成を示す図で、（Ａ）は右側面図、（Ｂ）は背面図である。図３は本実施形態に係る食器洗浄機の開閉扉５の下端左角部を示す部分拡大図で、（Ａ）は背面図、（Ｂ）は底面図である。図４は本実施形態に係る食器洗浄機の開閉扉５の下端右角部を示す部分拡大図で、（Ａ）は背面図、（Ｂ）は底面図である。図５は本実施形態に係る食器洗浄機の開閉扉５の下端左角部に取り付けられる飛散防止部材を示す図で、（Ａ）は左側面図、（Ｂ）は正面図である。図６は本実施形態に係る食器洗浄機の開閉扉５の下端右角部に取り付けられる飛散防止部材を示す図で、（Ａ）は正面図、（Ｂ）は右側面図である。尚、各開閉扉４、５はほぼ同じ構成である。また、図２においては、ハンドル６は開閉扉５の前面側に取り付けられていない。
【００１０】
図２に示すように、開閉扉５は、ステンレス鋼板で作製される前面部材１１と、この前面部材１１の左右側端縁部に溶接等によって固着されるステンレス鋼板製の各側壁部材１２、１３とから構成されている。また、各側壁部材１２、１３の内側面には、前端縁部の略中央位置から後方斜め上方に延出されるステンレス鋼板製の各回動アーム部材１４、１５が溶接等によって固着されている。そして、この各回動アーム部材１４、１５の後方先端部には、ステンレス製の各回動支持軸１６、１７が外側方向に垂直に突き出して同一軸心上に設けられている。また、ハウジング３の正面側の側壁に貫通されて回動支持される回動支軸１６の先端部には、後述のスプリングアーム４１（図８参照）の貫通孔に嵌挿される断面略長四角形のキー部１６Ａが軸方向に突設されている。尚、開閉扉４においては、当該キー部１６Ａは、右側の回動支軸１７の先端部に突き出して設けられている。
また、各側壁部材１２、１３の後方斜め上側端縁部には、ステンレス鋼板製の各上ストッパ１８、１９、及び後方斜め下側端縁部にはステンレス鋼板製の各下ストッパ２０、２１が各内側面に溶接等によって固着されている。この各上ストッパ１８、１９は、開閉扉５の開放時の回動を規制するものであり、各下ストッパ２０、２１は開閉扉５を閉めた時の回動を規制している。また、各側壁部材１２、１３の下端縁部には、内側略垂直方向に所定長さ延出される各延出部２２、２３が形成されている（図３、図４参照）。
【００１１】
また、前面部材１１は、略上半部分が各回動支持軸１６、１７の軸心を中心とする縦断面円弧に形成されている。これにより、開閉扉５は回動時にハウジング３内にスムーズに収納されると共に、引き出される。また、前面部材１１の縦方向の略中央部内側面には、ステンレス鋼板製の縦断面略コの字形で横長の前面補強部材２６が、開放側を前面側（図２中、紙面裏側）にして略水平に溶接等によって固着されている。また、前面部材１１の下端縁部には、内側斜め下方向に延出される折曲部２４が形成されると共に、この折曲部２４の内側端縁部から略水平内側方向に所定長さ延出される延出部２５が形成されている。
【００１２】
また、開閉扉５の下端左右角部の内側には、平板状の各飛散防止部材２７、２８が溶接等によって固着されている。
図３及び図５に示すように、ステンレス鋼板製の飛散防止部材２７は、水平略台形上の平板部３１と、この平板部３１の底辺部から斜め上方向に所定長さ延出される延出部３２とから形成されている。また、平板部３１と延出部３２とのなす角度は、前面部材１１の延出部２５と折曲部２４とのなす角度とほぼ等しくなるように形成されている。また、この延出部３２の外側両角部は、斜めに切断されている。
そして、この飛散防止部材２７は、平板部３１の底面部を、開閉扉５の下端左角部の前面部材１１の延出部２５の内側上面と側壁部材１２の延出部２２の内側上面とに載置し、且つ側壁部材１２の外側方向に押し当てると共に、延出部３２の底面部を前面部材１１の折曲部２４の内側面に押し当てて、溶接等によって固着されている。これにより、開閉扉５の下端左角部の底面部に、水平略直角三角形状の延出部が略水平内方に突出して設けられる。
【００１３】
また、図４及び図６に示すように、ステンレス鋼板製の飛散防止部材２８は、水平略台形上の平板部３３と、この平板部３３の底辺部から斜め上方向に所定長さ延出される延出部３４とから形成されている。また、平板部３３と延出部３４とのなす角度は、前面部材１１の延出部２５と折曲部２４とのなす角度とほぼ等しくなるように形成されている。また、この延出部３４の外側両角部は、斜めに切断されている。
そして、この飛散防止部材２８は、平板部３３の底面部を、開閉扉５の下端右角部の前面部材１１の延出部２５の内側上面と側壁部材１３の延出部２３の内側上面とに載置し、且つ側壁部材１３の外側方向に押し当てると共に、延出部３４の底面部を前面部材１１の折曲部２４の内側面に押し当てて、溶接等によって固着されている。これにより、開閉扉５の下端右角部の底面部に、水平略直角三角形状の延出部が略水平内方に突出して設けられる。
【００１４】
次に、各飛散防止部材２７、２８によって、洗浄及びすすぎ時における開閉扉５の左右下端角部の下面側から開閉扉５の前側への水の飛散が防止される構成について図７に基づいて説明する。図７は本実施形態に係る食器洗浄機１の開閉扉５を閉じた時の状態を模式的に示す部分拡大図で、（Ａ）は開閉扉５の下端右側角部の部分水平断面図、（Ｂ）は（Ａ）のＡ−Ａ断面図である。
図７に示すように、開閉扉５を閉じた時は、該開閉扉５の前面部材１１の下端縁部に形成される折曲部２４と側壁部材１３の下端縁部は、本体２の上部に設けられる洗浄槽２Ａ内に配置されるように構成されている。また、該開閉扉５の下端右角部に取り付けられる飛散防止部材２８は、本体２の上部に設けられる洗浄槽２Ａの右側奥角部（図７（Ａ）中、右側角部）の上側を被っている。また、飛散防止部材２８の内方側端縁部は、ラックレール８の端縁部の下側に位置するように設けられ、ラック受け台９の奥角部と開閉扉５の右角部との間の隙間を被うように構成されている。
これにより、各上洗浄水ノズル、上すすぎノズルから洗浄室７内に噴射されて、前面部材１１に当たった洗浄水またはすすぎ湯は、この前面部材１１の折曲部２４とラック受け台９との間の隙間から洗浄槽２Ａ内に入る。また、側壁部材１３に当たった洗浄水またはすすぎ湯は（破線矢印３６参照）、この側壁部材１３の下端縁部に形成される延出部２３又は飛散防止部材２８とラック受け台９やラックレール８との間の隙間から洗浄槽２Ａ内に入り、洗浄槽２Ａの右奥側角部から開閉扉５の手前側への水の飛散が防止される。
また、開閉扉５の下端左角部に設けられる飛散防止部材２７は、飛散防止部材２８と同様にラック受け台９の手前角部と開閉扉５の左角部との間の隙間を被うように構成されている。これにより、側壁部材１２に当たった洗浄水またはすすぎ湯は（破線矢印３６参照）、この側壁部材１２の下端縁部に形成される延出部２２又は飛散防止部材２７とラック受け台９やラックレール８との間の隙間から洗浄槽２Ａ内に入り、洗浄槽２Ａの右手前角部から開閉扉５の手前側への水の飛散が防止される。尚、開閉扉４の下端両角部には、開閉扉５と同様に各飛散防止部材２７、２８が設けられているため、該開閉扉４が閉じられた場合には、洗浄槽２Ａの左側両角部からの水の飛散が防止される。
【００１５】
次に、各開閉扉４、５の開閉を検知する開閉検知スイッチの取付構造について図８乃至図１０に基づいて説明する。図８は本実施形態に係る食器洗浄機１の各開閉扉４、５を閉じた状態の扉開閉機構を模式的に示す正面図である。図９は本実施形態に係る食器洗浄機１の各開閉扉４、５を開放した状態の扉開閉機構を模式的に示す正面図である。図１０は本実施形態に係る食器洗浄機１の各開閉扉４、５を閉じた状態の開閉検知スイッチの取付部を拡大して示す図で、（Ａ）は正面図、（Ｂ）は（Ａ）のＢ−Ｂ断面図である。
図８及び図９に示すように、ハウジング３の前後の各側壁部材には各開閉扉４、５の各回動支持軸１６、１７が回動可能に支持される共に、ハウジング３の正面側の側壁部材から各回動支持軸１６、１７の先端部に形成される各キー部１６Ａ、１６Ａが該正面側の側壁部材から外側に突き出ている。また、この各キー部１６Ａ、１６Ａには、外側から略Ｌ字形の各スプリングアーム４１、４２が上端部に形成される断面略長方形の貫通孔が嵌入されると共に、底辺部が左右外側方向になるように固設されている。これにより、各開放扉４、５の回動動作に従って各スプリングアーム４１、４２は、各回動支持軸１７、１６の回りに回動されることとなる。
【００１６】
また、各スプリングアーム４１、４２の上端縁部から各回動支軸１６、１７の直径寸法よりも少し下側で、且つ左右外側方向の端縁部の位置には、突き出しピン４３、４４が略垂直に突設されている。そして、この各突き出しピン４３、４４の先端部には、補助スプリング４５の各端部が掛装されている。これにより、各開閉扉４、５を閉じた場合には、この補助スプリング４５は各回動支持軸１６、１７の下側に位置するため、各スプリングアーム４１、４２を介して各開閉扉４、５は閉じる方向に付勢される（図８参照）。また、各開閉扉４、５を開放した場合には、この補助スプリング４５は、各回動支持軸１６、１７の軸心よりも上側に位置するため、各スプリングアーム４１、４２を介して各開閉扉４、５は開放される方向に付勢される（図９参照）。
【００１７】
また、各スプリングアーム４１、４２の左右外側端縁部には、各々複数個の係止孔４７、４８が穿設されている。また、ハウジング３の前後の側壁部材には、各一対の係止部材４９、５０が左上側及び右上端部に固定されると共に、各係止部材４９、５０には、各々複数個の係止孔５１、５２が穿設されている。そして、公知のように（特開平８−２９９２４６号公報参照）、スプリングアーム４１の係止孔４７と係止部材４９の係止孔５１との間には、２対の第１スプリング５５が掛装されている。また、スプリングアーム４２の係止孔４８と係止部材５０の係止孔５２との間には、２対の第２スプリング５６が掛装されている。
また、各第１スプリング５５、５５及び第２スプリング５６、５６のバネ力は、各開閉扉４、５の自重とのバランス関係を考慮して、各開閉扉４、５が図８に示す閉じた状態と図９に示す開放した状態にて、その閉じた状態及び開放した状態が保持されるように設定されている。尚、各第１スプリング５５、５５及び第２スプリング５６、５６のバネ力と各開閉扉４、５の自重とのバランスは、各スプリングアーム４１、４２の各係止孔４７、４８及び各係止部材４９、５０の各係止孔５１、５２を適宜選択することにより調整可能である。また、各第１スプリング５５、５５及び第２スプリング５６、５６の下端は、各フック５８を介して各スプリングアーム４１、４２の各係止孔４７、４８に係止されているが、かかるフック５８は各第１スプリング５５、５５及び第２スプリング５６、５６の摩耗を防止して破損するのを防止するものである。
【００１８】
また、図１０に示すように、スプリングアーム４１の下方には、各開閉扉４、５の開閉を検知する開閉検知スイッチユニット６０がビス止めによって固定されている。この開閉検知スイッチユニット６０は、ステンレス鋼板製の水平断面略階段形に折り曲げられて、スプリングアーム４１の下方のハウジング３の正面側にビス止めによって固定される第１スイッチ取付部材６１と、ステンレス鋼板製の水平断面略階段形に折り曲げられて、右外側方向に折り曲げられる平板部が、第１スイッチ取付部材６１の左外側方向に折り曲げられる平板部の外側面に重ねられて該第１スイッチ取付部材６１にビス止めによって固定される第２スイッチ取付部材６２と、この第２スイッチ取付部材６２の左奥側方向に折り曲げられる平板部の外側面にビス止めによって固定されるリードスイッチ等から構成される開閉検知スイッチ６３とから構成されている。
【００１９】
また、開閉扉４の回動動作に従って回動するスプリングアーム４１の下端部前面側には、磁石ユニット６５がビス止めによって固定されている。従って、磁石ユニット６５は該スプリングアーム４１と共に開閉扉４の回動動作に従って回動する。
この磁石ユニット６５は、スプリングアーム４１の下端部前面側にビス止めによって固定される磁石取付板６６と、開閉検知スイッチ６３の外側面（図１０（Ｂ）中、下側面）と所定の隙間を形成して対向するようにこの磁石取付板６６の裏側面に接着等によって取り付けられる磁石６７とから構成されている。また、この磁石取付板６６は、スプリングアーム４１の下端部前面側に当接される横長四角形の取付平板部６６Ａと、この取付平板部６６Ａの左側端縁部から所定幅寸法で略水平外側方向に延出されると第１折曲部６６Ｂと、この第１折曲部６６Ｂの外側端縁部から略垂直下側方向に前記開閉検出スイッチ６３に対向するように所定長さ延出されて磁石６７が後側面に接着される第２折曲部６６Ｃとから構成されている。
【００２０】
従って、磁石ユニット６５は該スプリングアーム４１と共に開閉扉４の回動動作に従って回動するため、図８及び図１０に示すように、各開閉扉４、５を閉じた状態の場合は、スプリングアーム４１を介して磁石６７が開閉検出スイッチ６３に近接した状態で対向する。また、図９に示すように、該開放扉４、５が開放された状態の場合は、スプリングアーム４１を介して磁石６７が開閉検出スイッチ６３から離間する。これによって、開閉検出スイッチ６３の接点が開閉されことにより、各開閉扉４、５の開閉を検知する構造とされている。
また、開閉扉４の各回動支持軸１６、１７を溶接によって固着する場合に発生する各回動アーム部材１４、１５のソリにより、回動支持軸１７のキー部１６Ａに取り付けられるスプリングアーム４１及び磁石ユニット６５が外側方向（図１０（Ｂ）中、下側方向）に傾いて取り付けられる。一方、第１スイッチ取付部材６１及び第２スイッチ取付部材６２を介して開閉検出スイッチ６３が、前記磁石ユニット６５の後側面に接着される磁石６７の後方側（図１０（Ｂ）中、上側）に所定隙間を形成するように取り付けられている。これにより、スプリングアーム４１及び磁石取付ユニット６５が外側方向に傾いて開閉扉４の回動支持軸１７に取り付けられた場合にも、開閉検出スイッチ６３と磁石６７との接触を確実に防止でき、信頼性の向上を図ることができる。
【００２１】
以上詳細に説明した通り本実施形態に係る食器洗浄機１は、各開閉扉４、５の前面部材１１の下端縁部に形成される折曲部２４と側壁部材１３の下端縁部は、本体２の上部に設けられる洗浄槽２Ａ内に配置されるように構成されている。また、該各開閉扉４、５の下端左右角部に取り付けられる各飛散防止部材２７、２８は、本体２の上部に設けられる洗浄槽２Ａの前後角部の上側を被っている。また、各飛散防止部材２７、２８の内方側端縁部は、ラックレール８の両端縁部の下側に位置するように設けられ、ラック受け台９の前後角部と各開閉扉４、５の左右角部との間の隙間を被うように構成されている。
【００２２】
従って、各上洗浄水ノズル、上すすぎノズルから洗浄室７内に噴射されて、各開閉扉４、５の前面部材１１に当たった洗浄水またはすすぎ湯は、この前面部材１１の折曲部２４とラック受け台９との間の隙間から洗浄槽２Ａ内に入る。また、側壁部材１３に当たった洗浄水またはすすぎ湯は、この側壁部材１３の下端縁部に形成される延出部２３又は各飛散防止部材２７、２８とラック受け台９やラックレール８との間の隙間から洗浄槽２Ａ内に入り、洗浄槽２Ａの前後角部から各開閉扉４、５の手前側への水の飛散が防止される。
また、各飛散防止部材２７、２８は、略平板状のステンレス鋼板製であるため、この飛散防止部材２７、２８を溶接等によって各開閉扉４、５に取り付けることができて、組み立て作業の効率化、及び各開閉扉４、５の高強度化を図ることができる。また、各開閉扉４、５の手前側への水の飛散を簡単な構成で確実に防止することができるため、製造コストの削減化を図ることができる。
【００２３】
尚、本発明は前記実施形態に限定されることはなく、本発明の要旨を逸脱しない範囲内で種々の改良、変形が可能であることは勿論である。
例えば、前記実施形態では、各飛散防止部材２７、２８の各平板部３１、３３の内方側端縁部は、直線状に形成されているが、ラック受け台９の角部の形状に合わせた形状に形成してもよい。
【００２４】
【発明の効果】
以上説明した通り請求項１に係る食器洗浄機は、本体の上方に洗浄槽が形成されている。また、この洗浄槽の側壁部に開口された開口部は、該開口部を覆うように上下方向に回動開閉可能に設けられて、下方へ回動させて開口部を閉じた時に洗浄槽と共に洗浄室を構成する扉によって覆われている。また、この扉の下端前側角部には、開口部を閉じた時に、該角部の内側端縁部から洗浄室内の方向へ略水平に延出されて、この下端前側角部と洗浄槽の底面前側角部との間の隙間を被うように突出する略平板状の飛散防止部材が設けられている。
これにより、洗浄及びすすぎ時に洗浄室の上側に配設される上ノズルから噴射される水が側壁に当たって跳ねても略水平内方に突出する飛散防止部材の上面に当たり、扉の下端前側角部と洗浄槽の底面前側角部との間の隙間の下面側へ飛散しないため、扉の下端前側角部の下面側から扉前側への水の飛散を簡単な構成で確実に防止することができる食器洗浄機を提供することができる。
【００２５】
また、請求項２に係る食器洗浄機は、請求項１に記載の食器洗浄機において、前記飛散防止部材は、一辺が前面側壁の内側端縁部に形成されると共に、他の一辺が側壁の内側端縁部に形成される水平略三角形状であるため、簡易な構成にすることができ、製造コストの削減化を図ることができる食器洗浄機を提供することができる。
【図面の簡単な説明】
【図１】本実施形態に係る食器洗浄機の概略構成を示す図で、（Ａ）は左右の開閉扉を閉じた状態の正面図、（Ｂ）は左右の開閉扉を閉じた状態の側面図である。
【図２】本実施形態に係る食器洗浄機の開閉扉の概略構成を示す図で、（Ａ）は右側面図、（Ｂ）は背面図である。
【図３】本実施形態に係る食器洗浄機の開閉扉の下端左角部を示す部分拡大図で、（Ａ）は背面図、（Ｂ）は底面図である。
【図４】本実施形態に係る食器洗浄機の開閉扉の下端右角部を示す部分拡大図で、（Ａ）は背面図、（Ｂ）は底面図である。
【図５】本実施形態に係る食器洗浄機の開閉扉の下端左角部に取り付けられる飛散防止部材を示す図で、（Ａ）は左側面図、（Ｂ）は正面図である。
【図６】本実施形態に係る食器洗浄機の開閉扉の下端右角部に取り付けられる飛散防止部材を示す図で、（Ａ）は正面図、（Ｂ）は右側面図である。
【図７】本実施形態に係る食器洗浄機の開閉扉を閉じた時の状態を模式的に示す部分拡大図で、（Ａ）は開閉扉の下端右側角部の部分水平断面図、（Ｂ）は（Ａ）のＡ−Ａ断面図である。
【図８】本実施形態に係る食器洗浄機の各開閉扉を閉じた状態の扉開閉機構を模式的に示す正面図である。
【図９】本実施形態に係る食器洗浄機の各開閉扉を開放した状態の扉開閉機構を模式的に示す正面図である。
【図１０】本実施形態に係る食器洗浄機の各開閉扉を閉じた状態の開閉検知スイッチの取付部を拡大して示す図で、（Ａ）は正面図、（Ｂ）は（Ａ）のＢ−Ｂ断面図である。
【符号の説明】
１                        食器洗浄機
２                        本体
３                        ハウジング
４、５                    開閉扉
８                        ラックレール
９                        ラック受け台
２７、２８                飛散防止部材
６３                      開放検知スイッチ
６７                      磁石
【図１】
0004532006.tif 000002
【図２】
0004532006.tif 000003
【図３】
0004532006.tif 000004
【図４】
0004532006.tif 000005
【図５】
0004532006.tif 000006
【図６】
0004532006.tif 000007
【図７】
0004532006.tif 000008
【図８】
0004532006.tif 000009
【図９】
0004532006.tif 000010
【図１０】
0004532006.tif 000011